(57)【要約】      （修正有）【課題】暗証番号の変更に関わる部品の点数を従来よりも削減することができるとともに、簡易かつ短時間で暗証番号を変更することができ、利用者の利便性を高めることができるボタン錠を提供する。【解決手段】ボタン錠は、施錠位置および解錠位置の一方から他方に移動可能なカムと、カムを施錠位置および解錠位置の一方から他方に移動させるツマミと、ツマミを回動不能にする規制状態、およびツマミを回動可能にする許容状態の一方から他方に移行可能にする施解錠機構から構成される。施解錠機構は押下操作が可能な複数のボタン１６と、暗証番号設定位置および非設定位置の２つの位置でボタン１６と係合可能なギア４６と、を有し、規制状態において暗証番号設定位置でギア４６と係合するボタン１６の全てが押下操作された場合に、許容状態に移行するように構成される。【選択図】図１３
2018184768.tif 000002
【特許請求の範囲】
【請求項１】
施錠位置および解錠位置の一方から他方に移動可能なカムと、
前記カムを前記施錠位置および前記解錠位置の一方から他方に移動させるツマミと、
前記ツマミを回動不能にする規制状態、および前記ツマミを回動可能にする許容状態の一方から他方に移行可能な施解錠機構と、を有して構成されたボタン錠において、
前記施解錠機構は、押下操作が可能な複数のボタンと、暗証番号設定位置および暗証番号非設定位置の２つの位置を少なくとも含む複数の位置で前記ボタンと係合可能なギアと、を有し、前記規制状態において前記暗証番号設定位置で前記ギアと係合する前記ボタンの全てが押下操作された場合に、前記許容状態に移行するように構成されており、
前記ボタンと前記ギアの係合位置を、前記暗証番号設定位置および前記暗証番号非設定位置の一方から他方に変更可能な暗証番号変更機構を備える、
ことを特徴とするボタン錠。
【請求項２】
請求項１に記載のボタン錠において、
前記暗証番号変更機構は、前記ボタンを押下操作するか否かによって前記ボタンと前記ギアの係合位置を変更可能に構成されている、
ことを特徴とするボタン錠。
【請求項３】
請求項１または請求項２に記載のボタン錠において、
扉の閉鎖を検出可能な扉検出部材と、
前記扉検出部材が扉の閉鎖を検出した場合に、前記カムを前記解錠位置から前記施錠位置に移動させるオートロック機構を備えた、
ことを特徴とするボタン錠。
【請求項４】
請求項３に記載のボタン錠において、
前記扉検出部材を、扉の検出が可能な位置および扉の検出が不可能な位置の一方から他方に移動させる移動手段を備えた、
ことを特徴とするボタン錠。
【請求項５】
請求項３または請求項４に記載のボタン錠において、
前記ツマミによって前記カムを前記施錠位置から前記解錠位置に移動させた場合に、前記オートロック機構を作動可能な状態に移行させるとともに、全ての前記ボタンを押下操作前の初期位置に復帰させるように構成されている、
ことを特徴とするボタン錠。
【発明の詳細な説明】
【技術分野】
【０００１】
本発明は、複数のボタンを用いて錠前の施錠または解錠を行うボタン錠に関する。
【背景技術】
【０００２】
従来、暗証番号に基づいて押動される複数個の押しボタンと、該押しボタンにより解錠され得るロックピースを備え、押しボタンの摘み部を回すように操作することで、新しい暗証番号に設定可能なボタン錠が知られている（例えば、特許文献１参照）。
【先行技術文献】
【特許文献】
【０００３】
【特許文献１】特開２００６−２４１９３１号公報
【発明の概要】
【発明が解決しようとする課題】
【０００４】
しかしながら、上記特許文献１記載のボタン錠は、押しボタンの部品点数が多く、構造が複雑であるといった問題点があった。また、通常の利用時は押しボタンを押す操作を行うのに対して、暗証番号の変更時は押しボタンの摘み部を回す操作が必要であり、暗証番号の変更方法が分りにくく、暗証番号の変更に時間を要するといった問題点もあった。
【０００５】
本発明は、このような従来の問題点を解決するためのものであって、暗証番号の変更に関わる部品の点数を従来よりも削減することができるとともに、簡易かつ短時間で暗証番号を変更することができ、利用者の利便性を高めることができるボタン錠を提供することを目的とする。
【課題を解決するための手段】
【０００６】
本発明は、施錠位置および解錠位置の一方から他方に移動可能なカムと、前記カムを前記施錠位置および前記解錠位置の一方から他方に移動させるツマミと、前記ツマミを回動不能にする規制状態、および前記ツマミを回動可能にする許容状態の一方から他方に移行可能な施解錠機構と、を有して構成されたボタン錠において、前記施解錠機構は、押下操作が可能な複数のボタンと、暗証番号設定位置および暗証番号非設定位置の２つの位置を少なくとも含む複数の位置で前記ボタンと係合可能なギアと、を有し、前記規制状態において前記暗証番号設定位置で前記ギアと係合する前記ボタンの全てが押下操作された場合に、前記許容状態に移行するように構成されており、前記ボタンと前記ギアの係合位置を、前記暗証番号設定位置および前記暗証番号非設定位置の一方から他方に変更可能な暗証番号変更機構を備える、ことを特徴とするボタン錠である。
【発明の効果】
【０００７】
本発明に係るボタン錠によれば、暗証番号の変更に関わる部品の点数を従来よりも削減することができるとともに、簡易かつ短時間で暗証番号を変更することができ、利用者の利便性を高めることができるという優れた効果を奏し得る。
【図面の簡単な説明】
【０００８】
【図１】ボタン錠１０の正面図である。
【図２】ボタン錠１０の左側面図である。
【図３】ボタン錠１０の背面図である。
【図４】ボタン錠１０を構成する主要部材を分解して示した分解斜視図である。
【図５】（ａ），（ｂ）ボタン錠１０から施解錠機構４０を構成する主要部品を抜き出して二方向から見た外観斜視図である。（ｃ），（ｄ）判定板４５がスライドして上方に位置しているときの各部材の状態を示した部分拡大図である。（ｅ），（ｆ）判定板４５がスライドして下方に位置しているときの各部材の状態を示した部分拡大図である。
【図６】（ａ）ギア４６を三方向から見た外観斜視図である。（ｂ）ボタン１６を二方向から見た外観斜視図である。（ｃ）暗証番号として設定された状態（暗証番号設定状態）のボタン１６とギア４６の関係を示した外観斜視図と側断面図である。（ｄ）暗証番号として設定されていない状態（暗証番号非設定状態）のボタン１６とギア４６の関係を示した外観斜視図と側断面図である。
【図７】（ａ）中間プレート７６を二方向から見た外観斜視図である。（ｂ）ボタン１６とギア４６が配設された状態の中間プレート７６の側断面図である。（ｃ）ボタンロックプレート４７の外観斜視図である。（ｄ）ボタン１６が配設された状態のボタンロックプレート４７の側面図と背面図である。
【図８】ボタン錠１０からオートロック機構６０を構成する主要部品等を抜き出して示した外観斜視図であり、オートロックが機能してボタン錠１０が解錠状態から施錠状態に変化する様子を時系列で示した図である。
【図９】ボタン錠１０からオートロック機構６０を構成する主要部品等を抜き出して示した平面図である。
【図１０】（ａ）移動プレート６５がセンサープレート使用位置に位置している状態におけるボタン錠１０の背面図と、同ボタン錠１０の一部の部材を抜き出して示した平面図である。（ｂ）移動プレート６５がセンサープレート収容位置に位置している状態におけるボタン錠１０の背面図と、同ボタン錠１０の一部の部材を抜き出して示した平面図である。
【図１１】ボタン錠１０が自動施錠待機状態から自動施錠非待機状態に移行する際のカムプレート４３の動きを時系列で示した図である。
【図１２】ボタン錠１０から暗証番号変更機構７０を構成する主要部品等を抜き出して示した斜視図である。
【図１３】（ａ−１）〜（ａ−３）暗証番号変更機構７０が暗証番号設定状態にある場合の各部材の状態を示した図である。（ｂ−１）〜（ｂ−３）暗証番号変更機構７０が暗証番号変換状態にある場合の各部材の状態を示した図である。
【図１４】暗証番号リセット機構８０の動作を時系列で示した図であり、ボタン錠１０を背面側から見た図である。
【発明を実施するための形態】
【０００９】
以下、図面を用いて、本実施形態に係るボタン錠１０について詳細に説明する。
【００１０】
＜外部構造＞
最初に、図１〜図３を用いて、ボタン錠１０の外部構造について説明する。図１は、ボタン錠１０の正面図であり、図２は、ボタン錠１０の左側面図であり、図３は、ボタン錠１０の背面図である。
【００１１】
ボタン錠１０は、箱状のケース１２と、このケース１２の前方開口部を覆うように取付けられる板状の化粧板１４と、この化粧板１４の上方に操作可能に配置される複数のボタン１６と、施錠位置および解錠位置の一方から他方に回動可能な板状のカム２０と、このカム２０を回動させるためのツマミ２２と、ケース１２に対して進退可能なラッチ２４と、を有して構成される。
【００１２】
ここで、カム２０は、いわゆる「デッドボルト（本締）」に相当する従来公知の部材であり、ラッチ２４は、いわゆる「ラッチボルト（仮締）」に相当する従来公知の部材であり、いずれも本実施形態に係る構造や形状に限定されるものではない。このボタン錠１０は、ロッカーやキャビネットなどの扉の戸先などに取り付けられて使用される。
【００１３】
＜内部構造＞
次に、図４を用いて、ボタン錠１０の内部構造について説明する。図４は、ボタン錠１０を構成する主要部材を分解して示した分解斜視図である。
【００１４】
箱状のケース１２の内部空間には、カム２０による解錠と施錠を切り替えるための施解錠機構４０と、非常時に施解錠機構４０によらずにカム２０の解錠を行うためのシリンダ錠５０と、ボタン錠１０を自動で施錠するためのオートロック機構６０と、ボタン１６の暗証番号（数字合わせ）を変更するための暗証番号変更機構７０と、暗証番号が揃った状態のボタン１６をリセットする（初期位置に戻す）ための暗証番号リセット機構８０等の部材が収容される。なお、シリンダ錠５０は、本発明の特徴部分では無いため、その説明は省略する。
【００１５】
＜施解錠機構４０＞
次に、図４と図５を用いて、ボタン錠１０の施解錠機構４０について説明する。図５（ａ），（ｂ）は、ボタン錠１０から施解錠機構４０を構成する主要部品を抜き出して二方向から見た外観斜視図である。
【００１６】
施解錠機構４０は、ケース１２に回転可能に配設される第１ロックカム４１（図４参照）と、この第１ロックカム４１の前方に同軸的に嵌め込まれる第２ロックカム４２と、この第２ロックカム４２の外周部にスライド可能に嵌め込まれるカムプレート４３と、このカムプレート４３の回動を規制することが可能な判定板センスプレート４４と、この判定板センスプレート４４を前方に持ち上げることが可能な判定板４５と、この判定板４５に挿通される複数のギア４６と、これら複数のギア４６にスライド可能に取り付けられる複数のボタン１６と、複数のギア４６とボタン１６がスライド可能に取り付けられる中間プレート７６と、ボタン１６を所定位置に保持することが可能なボタンロックプレート４７と、を有して構成されている。
【００１７】
＜施解錠機構４０／第１ロックカム４１＞
次に、施解錠機構４０の第１ロックカム４１について説明する。図４に示すように、第１ロックカム４１は、円柱形状の部材からなり、ケース１２に取り付けられるピン４８（図４参照）に嵌め込まれてケース１２に対して相対回転可能に配設される。第１ロックカム４１の後方端部には、カム２０を固定するためのネジ１８（図５（ｂ）参照）が取り付けられるネジ止め部（図示省略）が形成されている。また、第１ロックカム４１の前方端部には、第２ロックカム４２が嵌め込まれる凹形状のロックカム嵌合部４１ａ（図４参照）が形成され、外周部には、後述するオートロック機構６０のスライダ６２と係合可能な扇形状のスライダ係合部４１ｂ（図４参照）が外側に向けて突出形成されている。
【００１８】
＜施解錠機構４０／第２ロックカム４２＞
次に、施解錠機構４０の第２ロックカム４２について説明する。第２ロックカム４２は、第１ロックカム４１のロックカム嵌合部４１ａに嵌め込まれて第１ロックカム４２に固定される。第２ロックカム４２の前方端部には、ツマミ２２が着脱可能なツマミ取付部４２ａ（図４，図５（ｄ），同図（ｆ）参照）が突出形成され、外周部には、カムプレート４３がスライド可能に嵌め込まれるカムプレート嵌合部４２ｂ（図４参照）が設けられている。
【００１９】
＜施解錠機構４０／カムプレート４３＞
次に、施解錠機構４０のカムプレート４３について説明する。カムプレート４３の中央には、矩形状の開口部４３ａ（図４参照）が形成されている。この開口部４３ａに第２ロックカム４２のカムプレート嵌合部４２ｂが嵌め込まれることで、図５（ａ）等に示すように、カムプレート４３は、第２ロックカム４２に同軸的に嵌め込まれた状態で配置される。また、カムプレート４３の外周部には、判定板センスプレート４４と係合可能なセンスプレート係合部４３ｂ（図４，図５（ａ），同図（ｄ）参照）が外側に向けて突出形成されている。
【００２０】
また、カムプレート４３の開口部４３ａと第２ロックカム４２の下端との隙間には、コイルスプリング（図示省略）が縮設されており、カムプレート４３は、このコイルスプリングによって、第２ロックカム４２に対して下方に常時、付勢されている（図５（ａ）等参照）。
【００２１】
＜施解錠機構４０／判定板センスプレート４４＞
次に、施解錠機構４０の判定板センスプレート４４について説明する。図４等に示すように、判定板センスプレート４４は、板状の本体部４４ａと、この本体部４４ａの一端から水平方向に延びる腕部４４ｂと、を備える。図５（ｂ），同図（ｅ）等に示すように、本体部４４ａは、判定板４５の下部に形成されたセンスプレート係止部４５ｃに揺動可能に取り付けられ、腕部４４ｂは、シリンダ錠５０の外筒２６（図５（ｄ）参照）の上方に位置するように配置される。
【００２２】
＜施解錠機構４０／判定板４５＞
次に、施解錠機構４０の判定板４５について説明する。図４等に示すように、判定板４５は、板状の部材からなり、ギア４６が挿通されるほぼ円形状の判定溝４５ａを、ギア４６の個数分（本例では、１１個）備える。判定溝４５ａの内壁には、判定溝４５ａの中心に向かって突出形成された三角形状の外歯４５ｂ（図４，５（ａ）等参照）が形成されている。また、判定板４５の下端には、判定板センスプレート４４を揺動可能に支持するためのセンスプレート係止部４５ｃ（図４，５（ｂ）等参照）が形成されている。
【００２３】
＜施解錠機構４０／判定板センスプレート４４と判定板４５の関係＞
次に、判定板センスプレート４４と判定板４５の関係について説明する。図５（ｃ），同図（ｄ）は、判定板４５がスライドして上方に位置しているときの各部材の状態を示した部分拡大図であり、図５（ｅ），同図（ｆ）は、判定板４５がスライドして下方に位置しているときの各部材の状態を示した部分拡大図である。
【００２４】
判定板４５がギア４６によって上方にスライドされると、判定板４５に支持された判定板センスプレート４４も上方向にスライドするとともに、判定板センスプレート４４の腕部４４ｂが外筒２６の側面に沿って後方に移動することで、図５（ｃ），同図（ｄ）に示すように、判定板センスプレート４４が垂直方向に起立した状態となる。これにより、カムプレート４３の正面視反時計回りの回動が判定板センスプレート４４によって阻止されるため、カムプレート４３と第２ロックカム４２は、判定板センスプレート４４によって回動が規制される回動規制状態となる。
【００２５】
一方、判定板４５がギア４６によって下方にスライドされると、判定板４５に支持された判定板センスプレート４４も下方向にスライドするとともに、判定板センスプレート４４の腕部４４ｂが外筒２６の側面に沿って前方に移動することで、図５（ｅ），同図（ｆ）に示すように、判定板センスプレート４４の下方が、判定板４５の下端を支点として前方に持ち上がった状態となる。これにより、カムプレート４３の正面視反時計回りの回動が判定板センスプレート４４によって阻止されなくなるため、カムプレート４３と第２ロックカム４２は、判定板センスプレート４４によって回動が規制されない回動可能状態となる。
【００２６】
＜施解錠機構４０／ギア４６＞
次に、施解錠機構４０のギア４６について説明する。図６（ａ）は、ギア４６を三方向から見た外観斜視図である。ギア４６は、円筒形状の部材からなり、その外周には、判定板４５の外歯４５ｂと相補的形状を有する凹形状の内歯４６ａと、後述する暗証番号変更機構７０のギアスライダ７４と噛み合う複数の外歯４６ｂが形成されている。また、ギア４６の一端側には、ボタン１６の支持軸１６ｂが挿入可能な挿入孔４６ｃが形成されている。
【００２７】
＜施解錠機構４０／ボタン１６＞
次に、施解錠機構４０のボタン１６について説明する。図６（ｂ）は、ボタン１６を二方向から見た外観斜視図である。ボタン１６は、表面に数字や英字等が施される操作部１６ａと、この操作部１６ａの背面中央を基端として突出形成された棒状の支持軸１６ｂと、ボタンロックプレート４７と係合可能な突出片１６ｃと、を備える。ボタン１６は、支持軸１６ｂに取り付けられるコイルスプリング１７（図５（ｂ）参照）によって、ギア４６から離反する方向に付勢された状態でギア４６に係合・固定される。
【００２８】
支持軸１６ｂには、２つのギア係合部１６ｂ１、１６ｂ２が径方向外側に向かって突出形成されており、本例では、操作部１６ａに近い方のギア係合部１６ｂ１が、暗証番号設定用のギア係合部であり、操作部１６ａから遠い方のギア係合部１６ｂ２が、暗証番号非設定用のギア係合部である。なお、暗証番号設定用のギア係合部と暗証番号非設定用のギア係合部の軸方向における位置関係は、本例に限定されるものではない。
【００２９】
＜施解錠機構４０／ボタン１６とギア４６の関係＞
次に、ボタン１６とギア４６の関係について説明する。図６（ｃ）は、暗証番号として設定された状態（暗証番号設定状態）のボタン１６とギア４６の関係を示した外観斜視図と側断面図であり、図６（ｄ）は、暗証番号として設定されていない状態（暗証番号非設定状態）のボタン１６とギア４６の関係を示した外観斜視図と側断面図である。
【００３０】
図６（ｃ）に示す暗証番号設定状態のボタン１６は、暗証番号設定用のギア係合部１６ｂ１を介してギア４６に係合・固定されており、図６（ｄ）に示す暗証番号非設定状態のボタン１６に比べて、ボタン１６の操作部１６ａの背面とギア４６の内歯４６ａとの距離Ｌ１が短くなっている。この暗証番号設定状態のボタン１６は、初期位置から所定量だけ押し込まれた場合（暗証番号の一つとして押下操作された場合）に、ギア４６の内歯４６ａが、判定板４５の外歯４５ｂと噛み合った状態となるように構成される。
【００３１】
一方、図６（ｄ）に示す暗証番号非設定状態のボタン１６は、暗証番号非設定用のギア係合部１６ｂ２を介してギア４６に係合・固定されており、図６（ｃ）に示す暗証番号設定状態のボタン１６に比べて、ボタン１６の操作部１６ａの背面とギア４６の内歯４６ａとの距離Ｌ２が長くなっている。この暗証番号非設定状態のボタン１６は、初期位置のままで、ギア４６の内歯４６ａが、判定板４５の外歯４５ｂと噛み合った状態となるように構成される。
【００３２】
なお、ボタン錠１０は、後述する暗証番号変更機構７０によって、暗証番号設定状態のボタン１６と暗証番号非設定状態のボタン１６を相互に変更することが可能である。
【００３３】
＜施解錠機構４０／中間プレート７６＞
次に、施解錠機構４０の中間プレート７６について説明する。図７（ａ）は、中間プレート７６を二方向から見た外観斜視図であり、図７（ｂ）は、ボタン１６とギア４６が配設された状態の中間プレート７６の側断面図である。中間プレート７６は、ボタン１６の支持軸１６ｂが貫通可能な貫通孔７６ａと、ギア４６が嵌め込まれるギア嵌合部７６ｂと、をボタン１６やギア４６の個数分（本例では、１１個）備える。ボタン１６とギア４６は、中間プレート７６に対して水平方向（ボタン１６やギア４６の軸心方向）にスライド可能である。
【００３４】
＜施解錠機構４０／ボタンロックプレート４７＞
次に、施解錠機構４０のボタンロックプレート４７について説明する。図７（ｃ）は、ボタンロックプレート４７の外観斜視図であり、同図（ｄ）は、ボタン１６が配設された状態のボタンロックプレート４７の側面図と背面図である。ボタンロックプレート４７は、格子状の部材からなり、ボタン１６を所定位置に係止させることが可能なボタン係止片４７ａをボタン１６の個数分（本例では、１１個）備える。また、ボタンロックプレート４７の下方には、後述するリセットカム８２と係合可能な三角形状のリセットカム係合部４７ｃが下向きに突出形成されている。
【００３５】
図７（ｄ）等に示すように、ボタンロックプレート４７は、ボタン１６の背面側に上下方向にスライド可能に配設される。ボタンロックプレート４７が下方にスライドしている場合には、ボタンロックプレート４７のボタン係止片４７ａが、ボタン１６の突出片１６ｃの真後ろに位置するように構成される。この状態において、初期位置にあるボタン１６が所定量だけ押し込まれると、ボタン１６の突出片１６ｃがボタンロックプレート４７のボタン係止片４７ａを乗り越えて係止され、ボタン１６は、ボタンロックプレート４７によって係止された位置（押込み位置）で保持される。
【００３６】
一方、ボタンロックプレート４７が上方にスライドしている場合には、ボタンロックプレート４７のボタン係止片４７ａが、ボタン１６の突出片１６ｃの真後ろに位置しないように構成される。この状態では、初期位置にあるボタン１６が所定量だけ押し込まれた場合でも、ボタン１６の突出片１６ｃがボタンロックプレート４７のボタン係止片４７ａに係止されることはない。一方、押込み位置にあったボタン１６は、ボタン係止片４７による係止が解除されるため、コイルスプリング１７に付勢されて初期位置に復帰する。
【００３７】
＜施解錠機構４０の基本動作＞
次に、施解錠機構４０の基本動作について説明する。ボタン錠１０の使用者が、暗証番号設定状態の全てのボタン１６の押下操作を行い、暗証番号に対応するボタン１６がボタンロックプレート４７によって押込み位置で係止されると、判定板４５の全ての外歯４５ｂが、対応するギア４６の内歯４６ａに噛み合った状態となる。これにより、判定板４５が自重で下方向（図５（ａ）において符号Ｚで示す方向）にスライドして判定板センスプレート４４の下方が前方に持ち上がった状態となり、カムプレート４３と第２ロックカム４２が回動可能状態となるため、ボタン錠１０の使用者は、ツマミ２２を用いてカム２０による解錠操作を行うことが可能となる。
【００３８】
すなわち、ツマミ２２を用いてカム２０を施錠位置（例えば、図８（ｃ）に示す位置）から解錠位置（例えば、図８（ａ）に示す位置）まで回動すると、カム２０の先端がロッカーやキャビネットなどの本体（ストライク）から退出することで、扉の開閉が可能な状態（解錠状態）となる。なお、詳細は後述するが、ボタン錠１０が解錠状態になるとオートロック機構６０によるオートロックがオンの状態（自動施錠待機状態）となる。
【００３９】
一方、暗証番号設定状態の全てのボタン１６の押下操作を行っていない場合（暗証番号に対応する数字が揃っていない場合）には、判定板４５の外歯４５ｂの少なくとも一つが、対応するギア４６の内歯４６ａに噛み合っていない状態となる。これにより、判定板４５が上方に持ち上げられて判定板センスプレート４４が垂直方向に起立した状態となり、カムプレート４３と第２ロックカム４２が回動規制状態となるため、ボタン錠１０の使用者は、ツマミ２２を用いてカム２０による解錠操作を行うことはできない。
【００４０】
また、オートロック機構６０が機能してカム２０が解錠位置から施錠位置まで回動すると、カム２０の先端が扉の戸先（ストライク）から突出してロッカーやキャビネットなどの本体と係合することで、扉を開くことができない状態（施錠状態）となる。
【００４１】
＜オートロック機構６０＞
次に、図４，図８，図９等を用いて、ボタン錠１０のオートロック機構６０について説明する。なお、図８（ａ）〜同図（ｃ）は、ボタン錠１０からオートロック機構６０を構成する主要部品等を抜き出して示した外観斜視図であり、オートロックが機能してボタン錠１０が解錠状態から施錠状態に変化する様子を時系列で示した図である。また、図９（ａ），同図（ｂ）は、ボタン錠１０からオートロック機構６０を構成する主要部品等を抜き出して示した平面図である。
【００４２】
図４，図８，図９に示すように、オートロック機構６０は、上下方向にスライド可能なスライダ６２と、このスライダ６２の移動（スライド）を規制することが可能なセンサープレート６３と、このセンサープレート６３を移動させることが可能な移動プレート６５と、センサープレート６３をラッチ２４の方向に付勢する第１コイルスプリング６６（図１０参照）と、スライダ６２をセンサープレート６３の方向に付勢する第２コイルスプリング（図示省略）と、を有して構成されている。
【００４３】
＜オートロック機構６０／スライダ６２＞
次に、オートロック機構６０のスライダ６２について説明する。図８に示すように、スライダ６２は、ケース１２に沿って垂直方向（図８（ａ）において符号Ｘで示す方向）にスライド可能に配設され、第２コイルスプリング（図示省略）によってセンサープレート６３が位置する方向（本例では、ボタン錠１０の上方向。図８（ｂ）において符号Ｘ２で示す方向）に常時、付勢される。
【００４４】
また、スライダ６２には、第１ロックカム４１のスライダ係合部４１ｂと係合可能なロックカム係合部６２ａが形成されており、スライダ６２は、第１ロックカム４１と係合した状態で配設される。これにより、スライダ６２が第２コイルスプリングの付勢力に逆らって下方向にスライドされると、第１ロックカム４１が正面視反時計回りに回動することで、ツマミ２２とカム２０が、図８（ｃ）に示す施錠位置から図８（ａ）に示す解錠位置まで回動する。一方、スライダ６２が第２コイルスプリングの付勢力によって上方向にスライドされると、第１ロックカム４１が正面視時計回りに回動することで、ツマミ２２とカム２０が、図８（ａ）に示す解錠位置から図８（ｃ）に示す施錠位置まで回動する。
【００４５】
＜オートロック機構６０／センサープレート６３＞
次に、オートロック機構６０のセンサープレート６３について説明する。図９に示すように、センサープレート６３は、移動プレート６５を回転軸として、図９（ｂ）において符号Ｙで示す方向に回動可能に配設され、第１コイルスプリング６６によってラッチ２４の方向（本例では、ボタン錠１０の奥方向）に付勢される。
【００４６】
図９（ａ）に示すように、センサープレート６３が第１コイルスプリング６６の付勢力によって奥方向に回動されると、センサープレート６３がスライド６２を下方向に押圧するため、スライダ６２が第２コイルスプリングの付勢力に逆らって下方向にスライドし、ツマミ２２とカム２０が、図８（ｃ）に示す施錠位置から図８（ａ）に示す解錠位置まで回動する。
【００４７】
一方、図９（ｂ）に示すように、センサープレート６３が第１コイルスプリング６６の付勢力に逆らって手前方向に回動されると、スライド６２が上方向にスライド可能な空間が形成される。これにより、スライダ６２が第２コイルスプリングの付勢力によって上方向にスライドし、ツマミ２２とカム２０が、図８（ａ）に示す解錠位置から図８（ｃ）に示す施錠位置まで回動する。
【００４８】
なお、ツマミ２２とカム２０が図８（ｃ）に示す施錠位置に位置している状態において、ツマミ２２を手動で解錠位置まで回動した場合にも、スライダ６２が第２コイルスプリングの付勢力に逆らって下方向にスライドするため、第１コイルスプリング６６の付勢力によって、センサープレート６３が奥方向にスライドされることになる。
【００４９】
＜オートロック機構６０／移動プレート６５＞
次に、オートロック機構６０の移動プレート６５について説明する。図１０（ａ）は、移動プレート６５がセンサープレート使用位置に位置している状態におけるボタン錠１０の背面図と、同ボタン錠１０の一部の部材を抜き出して示した平面図であり、図１０（ｂ）は、移動プレート６５がセンサープレート収容位置に位置している状態におけるボタン錠１０の背面図と、同ボタン錠１０の一部の部材を抜き出して示した平面図である。
【００５０】
移動プレート６５は、ケース１２の裏面に露出されて外部からの操作が可能な起動ボタン部６５ａを備える。移動プレート６５の起動ボタン部６５ａを、ドライバー等の工具で手前に引き出した上で、図１０（ａ）に示すセンサープレート使用位置から図１０（ｂ）に示すセンサープレート収容位置まで移動させると、移動プレート６５に取り付けられたセンサープレート６３が、ケース１２の内方に向かって移動し、ケース１２から突出しない状態、すなわち、オートロック機構６０によって扉の閉鎖を検出することができない状態となる。
【００５１】
一方、移動プレート６５の起動ボタン部６５ａを、ドライバー等の工具で手前に引き出した上で、図１０（ｂ）に示すセンサープレート収容位置から図１０（ａ）に示すセンサープレート使用位置まで移動させると、センサープレート６３が、ケース１２の外側に向かって移動し、センサープレート６３の先端部がケース１２の外部に突出した状態、すなわち、オートロック機構６０によって扉の閉鎖を検出することが可能な状態となる。
【００５２】
このように、ボタン錠１０では、移動プレート６５の起動ボタン部６５ａを、操作を行う際にドライバー等の工具で手前に引き出す必要があるように構成しているため、誤操作等を未然に防止することができる。
【００５３】
また、センサープレート６３が図１０（ｂ）に示すセンサープレート収容位置まで移動した状態（例えば、ボタン錠１０の出荷時）では、起動ボタン６５ａがケース１２の背面側に突出した状態となるため、設置後に、センサープレート６３をセンサープレート使用位置まで移動させやすい。また、センサープレート６３が図１０（ａ）に示すセンサープレート使用位置まで移動した状態（例えば、ボタン錠１０の設置後）では、起動ボタン６５ａがケース１２の背面と面一（フラット）になるため、誤操作等を未然に防止することができる。
【００５４】
＜オートロック機構６０の基本動作＞
次に、図８と図９を用いて、オートロック機構６０の基本動作について説明する。上述の通り、ボタン錠１０の使用者が、暗証番号設定状態の全てのボタン１６の押下操作を行うと、ツマミ２２を用いてカム２０による解錠操作を行うことが可能となる。
【００５５】
ツマミ２２を用いてカム２０を施錠位置（例えば、図８（ｃ）に示す位置）から解錠位置（例えば、図８（ａ）に示す位置）まで回動すると、第１ロックカム４１が正面視反時計回りに回動し、この第１ロックカム４１に係合するスライダ６２が第２コイルスプリングの付勢力に逆らって下方向にスライドする。スライダ６２が下方向にスライドすると、第１コイルスプリング６６の付勢力によって、センサープレート６３が奥方向に回動される。これにより、ボタン錠１０は、解錠状態になるとともに、オートロック機構６０によるオートロックがオンの状態（自動施錠待機状態）となる。
【００５６】
ボタン錠１０のオートロックがオンの状態において、ロッカーやキャビネットなどの扉が閉められると、ラッチ２４は、ロッカーやキャビネットなどの本体を乗り越えて本体に設けられたストライク（図示省略）に収容されるが、センサープレート６３は、ロッカーやキャビネットなどの本体に衝突することで、第１コイルスプリング６６の付勢力に逆らって手前方向に回動される。これにより、スライダ６２が第２コイルスプリングの付勢力によって上方向（図８（ｂ）において符号Ｘ２で示す方向）にスライドし、ツマミ２２とカム２０が、解錠位置から施錠位置まで回動する。これにより、ボタン錠１０が、施錠状態になるとともに、オートロック機構６０によるオートロックがオフの状態（自動施錠非待機状態）となる。
【００５７】
図１１は、ボタン錠１０が自動施錠待機状態から自動施錠非待機状態に移行する際のカムプレート４３の動きを時系列で示した図である。
【００５８】
ボタン錠１０が、図８（ａ）に示す自動施錠待機状態にある場合、カムプレート４３は、図１１（ａ）に示すように、判定板センスプレート４４の本体部４４ａに乗り上げた状態となっている。このとき、カムプレート４３は、第２ロックカム４２との間に縮設されたコイルスプリング（図示省略）の付勢力に逆らって、第２ロックカム４２に対して下方にスライドした状態となる。
【００５９】
続いて、ボタン錠１０が、図８（ａ）に示す自動施錠待機状態から図８（ｃ）に示す自動施錠非待機状態に移行すると、カム２０、第１ロックカム４１、第２ロックカム４２、カムプレート４３等が連動して正面視時計回りに回動するとともに、カムプレート４３は、コイルスプリング（図示省略）の付勢力に逆らって、図１１（ｂ）、（ｃ）に示すように、第２ロックカム４２に対して上方にスライドされる。
【００６０】
カムプレート４３がさらに回動し、判定板センスプレート４４の本体部４４ａを乗り越えて、コイルスプリング（図示省略）の付勢力によって下方にスライドすると、図１１（ｄ）に示すように、カムプレート４３のセンスプレート係合部４３ｂが、判定板センスプレート４４の本体部４４ａの側面と係合し、ボタン錠１０は施錠状態となる。
【００６１】
本例に係るボタン錠１０によれば、ボタン１６の押下操作等をすることなく、扉を閉めるだけで、解錠状態のボタン錠１０を施錠状態に移行させることができる。
【００６２】
＜暗証番号変更機構７０＞
次に、図４と図１２を用いて、ボタン錠１０の暗証番号変更機構７０について説明する。図１２（ａ），（ｂ）は、ボタン錠１０から暗証番号変更機構７０を構成する主要部品等を抜き出して示した斜視図である。
【００６３】
図４や図１２に示すように、暗証番号変更機構７０は、暗証番号変更機構７０のモードを切り替えるためのモードセレクタ７２と、このモードセレクタ７２によって水平方向にスライド可能なギアスライダ７４と、上述のボタン１６、ギア４６、中間プレート７６等によって構成される。
【００６４】
＜暗証番号変更機構７０／モードセレクタ７２＞
次に、暗証番号変更機構７０のモードセレクタ７２について説明する。図１２（ａ）に示すように、モードセレクタ７２は、直線状の溝が形成された円筒形状の操作部７２ａと、外側に向けて突出形成されたギアスライダ係合部７２ｂと、を有する。操作部７２ａは、図３に示すように、ケース１２に形成された貫通孔に回動可能に配設され、ケース１２の外部に溝が露出された状態とされる。マイナスドライバー等の工具を溝に挿入して操作部７２ａを回動することで、モードセレクタ７２を回動することが可能である。
【００６５】
ギアスライダ係合部７２ｂは、図１２（ａ）に示すように、ギアスライダ７４のモードセレクタ係合部７４ａと係合するように配置される。これにより、モードセレクタ７２を回動することで、ギアスライダ７４を水平方向（図１２（ａ）において符号Ｓで示す方向）にスライドさせることが可能である。
【００６６】
＜暗証番号変更機構７０／ギアスライダ７４＞
次に、暗証番号変更機構７０のギアスライダ７４について説明する。図４や図１２（ａ）に示すように、ギアスライダ７４は、格子状の部材からなり、モードセレクタ７２と係合可能なモードセレクタ係合部７４ａと、ギア４６と噛み合う複数のラック７４ｂと、を有して構成されている。
【００６７】
ラックギア７４ｂは、複数の歯からなり、図１２（ａ）に示すように、ギア４６の外歯４６ｂと噛み合うように配置される。これにより、ギアスライダ７４を水平方向にスライドすることで、ギア４６を軸心周りに所定角度だけ回動させることが可能である。
【００６８】
＜暗証番号変更機構７０の基本動作＞
次に、図１３を用いて、暗証番号変更機構７０の基本動作について説明する。図１３（ａ−１）〜同図（ａ−３）は、暗証番号変更機構７０が暗証番号設定状態にある場合の各部材の状態を示した図であり、図１３（ｂ−１）〜同図（ｂ−３）は、暗証番号変更機構７０が暗証番号変換状態にある場合の各部材の状態を示した図である。
【００６９】
暗証番号変更機構７０が図１３（ａ−１）に示す暗証番号設定状態にある場合に、マイナスドライバー等の工具を用いてモードセレクタ７２の操作部７２ａを背面視時計回りに回動すると、ギアスライダ７４が背面視水平方向右側（図１３（ａ−１）において符号Ｘ１で示す方向）にスライドする。ギアスライダ７４がスライドすると、ギアスライダ７４と噛み合うギア４６が、背面視時計回り（図１３（ａ−１）において符号Ｒで示す方向）に所定角度だけ回動し、図１３（ａ−１）に示す暗証番号設定状態から図１３（ｂ−１）に示す暗証番号変換状態に移行する。
【００７０】
ギア４６が図１３（ｂ−２）に示す暗証番号変換状態にある場合に、ボタン１６を初期位置から押込み位置まで押し込むことで、ボタン１６の暗証番号設定用のギア係合部１６ｂ１が、ギア４６と係合可能な位置（暗証番号設定位置）までスライドする。一方、ギア４６が図１３（ｂ−３）に示す暗証番号変換状態にある場合に、ボタン１６を押し込むことなく初期位置のままにすることで、ボタン１６の暗証番号非設定用のギア係合部１６ｂ２が、ギア４６と係合な位置（暗証番号非設定位置）に保持される。
【００７１】
ボタン１６を初期位置（暗証番号非設定位置）または押込み位置（暗証番号設定位置）に位置させた状態で、ギアスライダ７４を元の位置まで戻すと、ギア４６が、背面視反時計回り（図１３（ａ−１）において符号Ｒで示す方向と反対方向）に所定角度だけ回動し、図１３（ｂ−１）〜同図（ｂ−３）に示す暗証番号変換状態から図１３（ａ−１）〜同図（ａ−３）に示す暗証番号設定状態に移行し、ボタン１６が初期位置（暗証番号非設定位置）または押込み位置（暗証番号設定位置）においてギア４６に係合・固定される。そして、初期位置（暗証番号非設定位置）においてギア４６に係合・固定されたボタン１６は、暗証番号非設定状態のボタンとなり、押込み位置（暗証番号設定位置）においてギア４６に係合・固定されたボタン１６は、暗証番号設定状態のボタンとなり、暗証番号の変換が完了する。
【００７２】
＜暗証番号リセット機構８０＞
次に、図１４を用いて、ボタン錠１０の暗証番号リセット機構８０について説明する。図１４は、暗証番号リセット機構８０の動作を時系列で示した図であり、ボタン錠１０を背面側から見た図である。
【００７３】
暗証番号リセット機構８０は、リング形状のリセットカム８２と、このリセットカム８２に所定方向のトーションを掛けるためのトーションスプリング８４と、上述のボタンロックプレート４７、ボタン１６等によって構成される。リセットカム８２は、ボタンロックプレート４７のリセットカム係合部４７ｃと係合可能な凸状のリセットスイッチ８２ａと、内方に向けて突出形成されたツマミ係合部８２ｂと、を備え、ツマミ２２に対して相対回転可能にツマミ２２と同軸的に配設される。トーションスプリング８４は、リセットカム８２が背面視時計回りに所定角度（本例では、約９６度）だけ回動された場合に、リセットカム８２の回動方向にトーションを掛けるように設定される。
【００７４】
図１４（ａ）に示す施錠状態において、ツマミ２２を解錠位置に向けて正面視反時計回り（背面視時計回り）に回動し始めると、ツマミ２２が約３１度回動したときに、図１４（ｂ）に示すように、ツマミ２２に設けられた凸部２２ａが、リセットカム８２のツマミ係合部８２ｂに係合し、ツマミ２２が約９３度まで回動するまでツマミ２２とリセットカム８２が連動して回動する。
【００７５】
続いて、図１４（ｃ）に示すように、ツマミ２２が約９３度まで回動すると、オートロック機構６０が自動施錠非待機状態から自動施錠待機状態に移行するとともに、リセットカム８２のリセットスイッチ８２ａがボタンロックプレート４７のリセットカム係合部４７ｃと係合することで、ボタンロックプレート４７が上方にスライドされる。ボタンロックプレート４７が上方にスライドすると、ボタンロックプレート４７のボタン係止片４７ａが、ボタン１６の突出片１６ｃの真後ろに位置しないため、押込み位置にある全てのボタン１６が、コイルスプリング１７に付勢されて初期位置に復帰する（ボタン錠１０がゼロリセットされる）。
【００７６】
なお、ツマミ２２がさらに約９６度まで回動すると、トーションスプリング８４によってリセットカム８２の回動方向にトーションがかかることで、図１４（ｄ）に示すように、リセットカム８２のリセットスイッチ８２ａがボタンロックプレート４７のリセットカム係合部４７ｃを乗り越え、ボタンロックプレート４７が下方にスライドされる。ボタンロックプレート４７が下方にスライドすると、ボタンロックプレート４７のボタン係止片４７ａが、ボタン１６の突出片１６ｃの真後ろに位置し、ボタンロックプレート４７によってボタン１６を押込み位置で保持することが可能な状態となる。
【００７７】
以上説明したように、本実施形態に係るボタン錠（例えば、ボタン錠１０）は、施錠位置（例えば、図８（ｃ）に示す位置）および解錠位置（例えば、図８（ａ）に示す位置）の一方から他方に移動可能なカム(例えば、図４，図８等に示すカム２０)と、前記カムを前記施錠位置および前記解錠位置の一方から他方に移動させるツマミ(例えば、図４，図８等に示すツマミ２２)と、前記ツマミを回動不能にする規制状態（例えば、図５（ｄ）に示す回動規制状態）、および前記ツマミを回動可能にする許容状態（例えば、図５（ｆ）に示す回動可能状態）の一方から他方に移行可能な施解錠機構（例えば、図４に示す施解錠機構４０）と、を有して構成されたボタン錠において、前記施解錠機構は、押下操作が可能な複数のボタン（例えば、図４，図１３等に示すボタン１６）と、暗証番号設定位置（例えば、図１３（ａ−３）に示す位置）および暗証番号非設定位置（例えば、図１３（ａ−２）に示す位置）の２つの位置を少なくとも含む複数の位置で前記ボタンと係合可能なギア（例えば、図４，図１３等に示すギア４６）と、を有し、前記規制状態において前記暗証番号設定位置で前記ギアと係合する前記ボタンの全てが押下操作された場合に、前記許容状態に移行するように構成されており、前記ボタンと前記ギアの係合位置を、前記暗証番号設定位置および前記暗証番号非設定位置の一方から他方に変更可能な暗証番号変更機構（例えば、図４に示す暗証番号変更機構７０）を備える、ことを特徴とするボタン錠である。
【００７８】
本実施形態に係るボタン錠によれば、ボタンとギアの係合位置を変更するだけで暗証番号を変更することができるため、暗証番号の変更に関わる部品の点数を従来よりも削減することができるとともに、簡易かつ短時間で暗証番号を変更することができ、利用者の利便性を高めることができる。
【００７９】
また、前記暗証番号変更機構は、前記ボタンを押下操作するか否かによって前記ボタンと前記ギアの係合位置を変更可能に構成されていてもよい。このような構成とすれば、暗証番号変更時の操作と通常の利用時の操作を共通にすることができ、暗証番号の変更方法を分かりやすくすることができる。
【００８０】
また、扉の閉鎖を検出可能な扉検出部材（例えば、図８に示すセンサープレート６３）と、前記扉検出部材が扉の閉鎖を検出した場合に、前記カムを前記解錠位置から前記施錠位置に移動させるオートロック機構（例えば、図８に示すオートロック機構６０）を備えていてもよい。このような構成とすれば、ボタンの押下操作等をすることなく、扉を閉めるだけで、解錠状態のボタン錠を施錠状態に移行させることができる。
【００８１】
また、前記扉検出部材を、扉の検出が可能な位置および扉の検出が不可能な位置の一方から他方に移動させる移動手段(例えば、移動プレート６５)を備えてもよい。このような構成とすれば、ボタン錠の出荷時等は扉検出部材を扉の検出が不可能な位置まで移動させることで誤作動等を未然に防止することができ、利便性を高めることができる。
【００８２】
また、前記ツマミによって前記カムを前記施錠位置から前記解錠位置に移動させた場合に、前記オートロック機構を作動可能な状態に移行させるとともに、全ての前記ボタンを押下操作前の初期位置に復帰させるように構成されていてもよい。このような構成とすれば、解錠時にオートロック機構を確実に作動させることができる上に、暗証番号の盗み見等を防止することができ、防犯性を高めることができる。
【００８３】
なお、本発明に係るボタン錠は、上記実施形態に係るボタン錠１０の構成に限定されるものではなく、例えば、ボタンの数や配置は特に限定されない。また、オートロック機構６０を備えていなくてもよい。
【産業上の利用可能性】
【００８４】
本発明に係るボタン錠は、ロッカーやキャビネットなどの錠前として適用することができる。
【符号の説明】
【００８５】
１０  ボタン錠
１２  ケース
１４  化粧板
１６  ボタン
１８  ネジ
２０  カム
２２  ツマミ
２４  ラッチ
２６  外筒
４０  施解錠機構
４１  第１ロックカム
４２  第２ロックカム
４３  カムプレート
４４  センスプレート
４５  判定板
４６  ギア
４７  ボタンロックプレート
４８  ピン
５０  シリンダ錠
６０  オートロック機構
６２  スライダ
６３  センサープレート
６５  移動プレート
７０  暗証番号変更機構
７２  モードセレクタ
７４  ギアスライダ
７６  中間プレート
８０  暗証番号リセット機構
８２  リセットカム
【図１】
2018184768.tif 000003
【図２】
2018184768.tif 000004
【図３】
2018184768.tif 000005
【図４】
2018184768.tif 000006
【図５】
2018184768.tif 000007
【図６】
2018184768.tif 000008
【図７】
2018184768.tif 000009
【図８】
2018184768.tif 000010
【図９】
2018184768.tif 000011
【図１０】
2018184768.tif 000012
【図１１】
2018184768.tif 000013
【図１２】
2018184768.tif 000014
【図１３】
2018184768.tif 000015
【図１４】
2018184768.tif 000016